(57)【要約】【課題】本発明は、無線信号伝送システムにおいて、光伝送で生じる下り光信号の非線形歪ならびに波形劣化をマスタ装置が備える予補償回路またはリモート装置が備える補償回路でのデジタル信号処理で補償することを目的とする。【解決手段】本発明に係る無線信号伝送システムは、予め算出した歪み補償量を電気信号に加算し、加算した電気信号を下り光信号に変換し、光伝送路を介して接続されたリモート装置６１に下り光信号を送信するマスタ装置５１と、マスタ装置５１が送信した下り光信号を受信するとともに、受信した下り光信号を電気信号に変換し、電気信号の歪み量を検出し、検出した歪み量を補償し、補償した電気信号を無線信号に変換して外部に出力するリモート装置６１と、を備える。【選択図】図４
2015115693.tif 000002
【特許請求の範囲】
【請求項１】
予め算出した歪み補償量を電気信号に加算し、加算した前記電気信号を下り光信号に変換し、光伝送路を介して接続されたリモート装置に前記下り光信号を送信するマスタ装置と、
前記マスタ装置が送信した前記下り光信号を受信するとともに、受信した前記下り光信号を電気信号に変換し、前記電気信号の歪み量を検出し、検出した前記歪み量を補償し、補償した電気信号を無線信号に変換して外部に出力するリモート装置と、
を備えることを特徴とする無線信号伝送システム。
【請求項２】
前記マスタ装置は、
予め生成された監視制御信号をマスタ装置側周波数変換回路に出力するマスタ装置側監視制御回路と、
前記マスタ装置が備えるデジタル無線変調回路が出力したデジタル電気信号に、前記監視制御信号を多重するマスタ装置側周波数変換回路と、をさらに備え、
前記リモート装置は、
前記マスタ装置側周波数変換回路で多重された前記監視制御信号を抽出し、抽出した前記監視制御信号をリモート装置側監視制御回路に出力するリモート装置側周波数変換回路と、
前記監視制御信号に応じて前記リモート装置の設定変更及び制御を行う前記リモート装置側監視制御回路と、をさらに備える
ことを特徴とする請求項１に記載の無線信号伝送システム。
【請求項３】
前記マスタ装置側監視制御回路は、
前記デジタル無線変調回路が出力したデジタル電気信号に基準クロックを多重し、
前記リモート装置側周波数変換回路は、
前記マスタ装置側監視制御回路で多重された前記基準クロックを抽出し、前記基準クロックに応じて前記リモート装置内の基準クロックと周波数同期する
ことを特徴とする請求項２に記載の無線信号伝送システム。
【請求項４】
デジタル電気信号を出力するデジタル無線変調回路と、
前記デジタル電気信号を予め定められた中間周波数帯域に変換するとともにサンプリングレート変換するマスタ装置側周波数変換回路と、
予め算出した歪み補償量を前記マスタ装置側周波数変換回路で変換されたデジタル電気信号に加算する予補償回路と、
前記歪み補償量が加算されたデジタル電気信号をアナログ電気信号に変換するマスタ装置側デジタルアナログ変換回路と、
前記アナログ電気信号を光変調し、光変調した下り光信号を送信する光送信回路と、
を備えることを特徴とするマスタ装置。
【請求項５】
前記マスタ装置は、
予め生成された監視制御信号を前記マスタ装置側周波数変換回路に出力するマスタ装置側監視制御回路をさらに備え、
前記マスタ装置側周波数変換回路が、前記デジタル無線変調回路で出力したデジタル電気信号に前記監視制御信号を多重する
ことを特徴とする請求項４に記載のマスタ装置。
【請求項６】
マスタ装置が送信した下り光信号を受信し、アナログ電気信号に変換する光受信回路と、
前記光受信回路で変換したアナログ電気信号をデジタル電気信号に変換するアナログデジタル変換回路と、
前記マスタ装置が備える予補償回路で加算された前記デジタル電気信号の歪み補償量を検出するとともに前記歪み補償量以外の歪み量を検出し、検出した前記歪み補償量及び前記歪み量を補償する補償回路と、
前記歪み補償量及び前記歪み量を補償したデジタル電気信号を出力するリモート装置側周波数変換回路と、
前記リモート装置側周波数変換回路が出力した前記デジタル電気信号をアナログ電気信号に変換するリモート装置側デジタルアナログ変換回路と、
前記リモート装置側デジタルアナログ変換回路で変換した前記アナログ電気信号を無線信号に変換し外部に出力する無線送信回路と、
を備えることを特徴とするリモート装置。
【請求項７】
前記リモート装置は、
リモート装置側監視制御回路をさらに備え、
前記リモート装置側周波数変換回路が、前記マスタ装置が備えるマスタ装置側周波数変換回路で多重された監視制御信号を抽出し、抽出した前記監視制御信号を前記リモート装置側監視制御回路に出力し、
前記リモート装置側監視制御回路が、前記監視制御信号に応じて前記リモート装置の設定変更及び制御を行う
ことを特徴とする請求項６に記載のリモート装置。
【請求項８】
予め算出した歪み補償量を電気信号に加算し、加算した前記電気信号を下り光信号に変換して、マスタ装置からリモート装置に光伝送路を介して前記下り光信号を送信する光信号送信手順と、
前記マスタ装置が送信した前記下り光信号を前記リモート装置で受信するとともに、受信した前記下り光信号を電気信号に変換し、前記電気信号の歪み量を検出し、検出した歪み量に基づいて算出した歪み補償量を前記電気信号に加算して歪み量を補償し、補償した電気信号を無線信号に変換して外部に出力する無線信号出力手順と、を
順に有することを特徴とする無線信号伝送システムの伝送方法。
【発明の詳細な説明】
【技術分野】
【０００１】
本発明は、ＲＯＦ（Ｒａｄｉｏ  ｏｖｅｒ  Ｆｉｂｅｒ）を用いた無線信号伝送システムにおいて、高品質かつ経済的に広帯域の無線信号を伝送する技術に関する。
【背景技術】
【０００２】
ＬＴＥ（Ｌｏｎｇ  Ｔｅｒｍ  Ｅｖｏｌｕｔｉｏｎ）を始めとするセルラ構成を用いたブロードバンドワイヤレスシステムの進展が著しい。このようなセルラのブロードバンドワイヤレスシステムでは、様々な環境にいる多くのユーザに対してより広帯域なサービスを効率的に提供するため、セルサイズを縮小したスモールセル構成をとる傾向があり、カバレッジを維持するためセル数が増加する。
【０００３】
多くのセルを設置するためには、基地局のサイズを縮小することが必要であり、無線基地局を無線変復調部と無線送受信部に分割した分散アンテナ構成がとられる。この場合、アンテナの近傍に設置される無線送受信部を小型化することが可能であり、効率的な設置が可能となる。
【０００４】
このような分散アンテナ構成において、無線変復調部１１と無線送受信部２１の間で高精度に無線信号を伝送する必要があり、かつ長距離を伝送する必要もあるため、伝送路として光ファイバ伝送路１４を用いたＲＯＦシステムが用いられる。ＲＯＦシステムの実現手段としては、無線信号をそのままアナログ伝送するアナログＲＯＦ（図１）およびデジタル化した無線信号をデータとして伝送するデジタルＲＯＦ（図２）がある。
【０００５】
アナログＲＯＦでは、光インタフェース１３において無線変調信号でアナログ光変復調し、無線信号を光ファイバ伝送路１４上で伝送する。また、デジタルＲＯＦでは無線変調信号をデジタル化し、デジタルデータを光インタフェース１３で光信号に変換し、光ファイバ伝送路１４を伝送する。関連技術ではＲＯＦ区間を低コストかつ高品質で伝送できることからデジタルＲＯＦを用いたＣＰＲＩ（Ｃｏｍｍｏｎ  Ｐｕｂｌｉｃ  Ｒａｄｉｏ  Ｉｎｔｅｒｆａｃｅ）（非特許文献１）を用いたシステム（図３）が広く実用に供されている。
【０００６】
例えば、ＬＴＥでの２０ＭＨｚ帯域の２アンテナ分の無線信号を伝送するのに、２．５Ｇｂ／ｓ帯域のＣＰＲＩ回線が用いられている。なお、ＣＰＲＩは独自の伝送フォーマットを用いているため、ダークファイバ等の専用の伝送媒体を用いる必要がある。
【先行技術文献】
【非特許文献】
【０００７】
【非特許文献１】ＣＰＲＩ  Ｓｐｅｃｉｆｉｃａｔｉｏｎ  Ｖ  ５．０，Ｓｅｐｔｅｍｂｅｒ  ２０１１  （“１．  Ｉｎｔｒｏｄｕｃｔｉｏｎ”，  “２．１．  Ｄｅｆｉｎｉｔｉｏｎｓ／Ｎｏｍｅｎｃｌａｔｕｒｅ”）．
【発明の概要】
【発明が解決しようとする課題】
【０００８】
ＬＴＥの発展形であるＬＴＥ−Ａ（ＬＴＥ  ａｄｖａｎｃｅｄ）では、より広帯域（〜１００ＭＨｚ）の信号の伝送が必要となるとともに、ＭＩＭＯ（Ｍｕｌｔｉ  Ｉｎｐｕｔ  Ｍｕｌｔｉ  Ｏｕｔｐｕｔ）による空間での多重度が増加するため、より多くのアンテナが必要となる。
【０００９】
このため、ＣＰＲＩに要求される帯域も増大し、セルあたりで１００Ｇｂ／ｓ以上の帯域が必要となり、インタフェースコストやファイバコストが増大してしまう。４０Ｇｂ／ｓや１００Ｇｂ／ｓの高速インタフェースを用いる場合、受信感度が低下し誤り訂正符号を用いないと伝送が困難である。
【００１０】
しかし、誤り訂正符号の信号処理による遅延時間はＣＰＲＩの装置に許容される遅延時間（３．５ｕｓ）より大きいため、インタフェース速度を高速化することは難しい。また、波長多重（ＷＤＭ：Ｗａｖｅｌｅｎｇｔｈ  Ｄｉｖｉｓｉｏｎ  Ｍｕｌｔｉｐｌｅｘｉｎｇ）によりファイバ数を削減することも可能であるが、将来の無線システムではさらに帯域が増大することが想定されるため、伝送容量の限界が生じてしまう。
【００１１】
一方、アナログＲＯＦを用いる場合、所要帯域幅は無線信号の帯域幅であるため、伝送容量的には問題ないが、光伝送による雑音や非線形歪み等により信号品質の劣化が生じ、多チャネルや多値数の多い変調方式の適用は困難となる。また、リモート側の装置の監視制御が課題となる。
【００１２】
前記課題を解決するために、本発明は、無線信号伝送システムにおいて、光伝送で生じる下り光信号の非線形歪ならびに波形劣化をマスタ装置が備える予補償回路及びリモート装置が備える補償回路におけるデジタル信号処理で補償することを目的とする。
【課題を解決するための手段】
【００１３】
上記目的を達成するため、本発明の無線信号伝送システムでは、マスタ装置が、予め算出した歪み補償量を電気信号に加算して歪み補償を行い、歪み補償した伝送信号をリモート装置で歪み量を検出し、検出した歪み量を補償する。
【００１４】
具体的には、本発明に係る無線信号伝送システムは
予め算出した歪み補償量を電気信号に加算し、加算した前記電気信号を下り光信号に変換し、光伝送路を介して接続されたリモート装置に前記下り光信号を送信するマスタ装置と、
前記マスタ装置が送信した前記下り光信号を受信するとともに、受信した前記下り光信号を電気信号に変換し、前記電気信号の歪み量を検出し、検出した前記歪み量を補償し、補償した電気信号を無線信号に変換して外部に出力するリモート装置と、を備える。
【００１５】
本発明に係る無線信号伝送システムでは、
前記マスタ装置は、
予め生成された監視制御信号をマスタ装置側周波数変換回路に出力するマスタ装置側監視制御回路と、
前記マスタ装置が備えるデジタル無線変調回路が出力したデジタル電気信号に、前記監視制御信号を多重するマスタ装置側周波数変換回路と、をさらに備え、
前記リモート装置は、
前記マスタ装置側周波数変換回路で多重された前記監視制御信号を抽出し、抽出した前記監視制御信号をリモート装置側監視制御回路に出力するリモート装置側周波数変換回路と、
前記監視制御信号に応じて前記リモート装置の設定変更及び制御を行う前記リモート装置側監視制御回路と、をさらに備えてもよい。
【００１６】
本発明に係る無線信号伝送システムでは、
前記マスタ装置側監視制御回路は、
前記デジタル無線変調回路が出力したデジタル電気信号に基準クロックを多重し、
前記リモート装置側周波数変換回路は、
前記マスタ装置側監視制御回路で多重された前記基準クロックを抽出し、前記基準クロックに応じて前記リモート装置内の基準クロックと周波数同期してもよい。
【００１７】
具体的には、本発明に係るマスタ装置は
デジタル電気信号を出力するデジタル無線変調回路と、
前記デジタル電気信号を予め定められた中間周波数帯域に変換するとともにサンプリングレート変換するマスタ装置側周波数変換回路と、
予め算出した歪み補償量を前記マスタ装置側周波数変換回路で変換されたデジタル電気信号に加算する予補償回路と、
前記歪み補償量が加算されたデジタル電気信号をアナログ電気信号に変換するマスタ装置側デジタルアナログ変換回路と、
前記アナログ電気信号を光変調し、光変調した下り光信号を送信する光送信回路と、を備える。
【００１８】
本発明に係るマスタ装置では、
予め生成された監視制御信号を前記マスタ装置側周波数変換回路に出力するマスタ装置側監視制御回路をさらに備え、
前記マスタ装置側周波数変換回路が、前記デジタル無線変調回路で出力したデジタル電気信号に前記監視制御信号を多重してもよい。
【００１９】
具体的には、本発明に係るリモート装置は
マスタ装置が送信した下り光信号を受信し、アナログ電気信号に変換する光受信回路と、
前記光受信回路で変換したアナログ電気信号をデジタル電気信号に変換するアナログデジタル変換回路と、
前記マスタ装置が備える予補償回路で加算された前記デジタル電気信号の歪み補償量を検出するとともに前記歪み補償量以外の歪み量を検出し、検出した前記歪み補償量及び前記歪み量を補償する補償回路と、
前記歪み補償量及び前記歪み量を補償したデジタル電気信号を出力するリモート装置側周波数変換回路と、
前記リモート装置側周波数変換回路が出力した前記デジタル電気信号をアナログ電気信号に変換するリモート装置側デジタルアナログ変換回路と、
前記リモート装置側デジタルアナログ変換回路で変換した前記アナログ電気信号を無線信号に変換し外部に出力する無線送信回路と、を備える。
【００２０】
本発明に係るリモート装置では、
リモート装置側監視制御回路をさらに備え、
前記リモート装置側周波数変換回路が、前記マスタ装置が備えるマスタ装置側周波数変換回路で多重された監視制御信号を抽出し、抽出した前記監視制御信号を前記リモート装置側監視制御回路に出力し、
前記リモート装置側監視制御回路が、前記監視制御信号に応じて前記リモート装置の設定変更及び制御してもよい。
【００２１】
具体的には、本発明に係る無線信号伝送システムの伝送方法は、
予め算出した歪み補償量を電気信号に加算し、加算した前記電気信号を下り光信号に変換して、マスタ装置からリモート装置に光伝送路を介して前記下り光信号を送信する光信号送信手順と、
前記マスタ装置が送信した前記下り光信号を前記リモート装置で受信するとともに、受信した前記下り光信号を電気信号に変換し、前記電気信号の歪み量を検出し、検出した歪み量に基づいて算出した歪み補償量を前記電気信号に加算して歪み量を補償し、補償した電気信号を無線信号に変換して外部に出力する無線信号出力手順と、を順に有する。
【００２２】
なお、上記各発明は、可能な限り組み合わせることができる。
【発明の効果】
【００２３】
本発明によれば、ＲＯＦを用いた無線信号伝送システムにおいて、高品質かつ経済的に広帯域の無線信号を伝送することが可能となる。
【図面の簡単な説明】
【００２４】
【図１】関連技術におけるアナログＲＯＦの一例を示す。
【図２】関連技術におけるデジタルＲＯＦの一例を示す。
【図３】関連技術におけるＣＰＲＩシステムの一例を示す。
【図４】本実施形態に係る無線信号伝送システムの構成の一例を示す。
【図５】本実施形態に係る予補償回路の構成の一例を示す。
【図６】本実施形態に係る補償回路の構成の一例を示す。
【図７】本実施形態に係るリモート装置の構成の一例を示す。
【図８】本実施形態に係るマスタ装置の周波数変換の一例を示す。
【図９】本実施形態に係るリモート装置での周波数変換の一例を示す。
【図１０】本実施形態に係るリモート装置での周波数変換の一例を示す。
【図１１】本実施形態に係るリモート装置での基準クロック抽出の一例を示す。
【図１２】本実施形態に係るリモート装置での周波数同期の一例を示す。
【発明を実施するための形態】
【００２５】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２６】
（第１の実施形態）
本実施形態に係る、無線信号伝送システムは、光伝送路を介して接続されたマスタ装置及びリモート装置を備える。マスタ装置は、リモート装置に対し下り光信号を送信し、リモート装置が受信する。また、無線信号伝送システムにおける下り光信号の伝送方法は、マスタ装置が行う光信号送信手順と、リモート装置が行う無線信号出力手順と、を順に有する。光信号送信手順では、マスタ装置が歪み補償量を電気信号に加算し電気信号を下り光信号に変換してリモート装置に送信する。リモート装置における無線信号出力手順では、受信した下り光信号を電気信号に変換し、電気信号の歪みを検出し、検出した歪みに基づいて算出した歪み補償量を電気信号に加算して波形歪を補償した電気信号を無線信号に変換して外部に出力する。
【００２７】
図４に本発明の第１の実施形態を示す。本実施形態は、デジタル無線変調回路５２、予補償回路５４、マスタ装置側周波数変換回路として機能する周波数変換回路５３、マスタ装置側デジタルアナログ変換回路として機能するデジタルアナログ変換回路５５、光送信回路５６および監視制御回路５７とから構成されるマスタ装置５１と、光受信回路６２、アナログデジタル変換回路６３、補償回路６４、リモート装置側周波数変換回路として機能する周波数変換回路６５、リモート装置側デジタルアナログ変換回路として機能するデジタルアナログ変換回路６６、無線送信回路６７および監視制御回路６８とから構成されるリモート装置６１と、マスタ装置５１とリモート装置６１を接続する光伝送路５８とから構成される。
【００２８】
マスタ装置５１のデジタル無線変調回路５２で出力したデジタル電気信号であるデジタル無線変調信号は、マスタ装置側周波数変換回路として機能する周波数変換回路５３で適当な中間周波数帯にデジタル周波数変換ならびにサンプリングレート変換された後、予補償回路５４で歪を歪み補償量として与えた後に、マスタ装置側デジタルアナログ変換回路として機能するデジタルアナログ変換回路５５でアナログ電気信号に変換され、光送信回路５６から光変調信号し、下り光信号としてリモート装置６１に出力される。
【００２９】
マスタ装置５１から送信された光変調信号である下り光信号は、光伝送路５８を伝送され、リモート装置６１へと入力される。リモート装置６１では、受信された光変調信号を光受信回路６２で電気信号に変換し、アナログデジタル変換回路６３でデジタル電気信号に変換される。
【００３０】
デジタル電気信号は補償回路６４で歪み量が補正された後、リモート装置側周波数変換回路として機能する周波数変換回路６５でサンプリングレート変換ならびにデジタル周波数変換された後にリモート装置側デジタルアナログ変換回路として機能するデジタルアナログ変換回路６６でアナログ電気信号に変換され、無線送信回路６７に入力され、無線信号として外部へ出力される。
【００３１】
このように、光伝送方法としてはアナログのＲＯＦを用いているが、光伝送で生じる非線形歪ならびに波形劣化を予補償回路５４または補償回路６４でのデジタル信号処理で補償することにより、高精度に無線信号を伝送することが可能となる。本実施形態においてデジタル無線変調回路５２から出力されるデジタル無線信号は、同相、直交成分に分離されたベースバンド信号および中間周波数帯信号のどちらでも構わない。
【００３２】
予補償回路５４は図５のように構成され、リモート装置６１の補償回路６４で検出される波形歪である歪み量を補正するように、歪演算部７１で入力信号に対して演算され、演算された歪み補償量を加算部７２が、デジタル無線変調回路が出力した信号に加算する。波形歪の要因としては、マスタ装置側デジタルアナログ変換回路として機能するデジタルアナログ変換回路５５の非線形歪、光送信回路５６の非線形歪、光伝送路５８での非線形歪、光受信回路６２の非線形歪、およびアナログデジタル変換回路６３の非線形歪がある。また、予補償回路５４の出力から補償回路６４の入力間の伝達関数に応じた波形予等化も予補償回路５４に等化器７３を配備し行う。
【００３３】
伝達関数は、光送信回路５６の伝達関数、光伝送路５８の伝達関数および光受信回路６２の伝達関数の積となる。補償回路６４では、予補償回路５４と同様に図６に示すように、歪み量の検出および伝達関数の測定を行うとともに、マスタ装置側デジタルアナログ変換回路として機能するデジタルアナログ変換回路５５およびアナログデジタル変換回路６３のビット数等によって予補償回路５４で補償しきれない歪の補償を行うとともに波形等化を行う。
【００３４】
なお、補償回路６４で検出される歪や波形劣化が無線信号の品質にほとんど影響を与えない場合には、予補償回路５４および補償回路６４のどちらか一方の歪補償および波形等化機能を削除し、回路を簡単化することが可能である。
【００３５】
このように予補償回路５４と補償回路６４で歪補償を行うことにより、大部分の歪み量は予補償回路５４で補償され、補償回路６４で補償する歪み量は小さくなるため、リモート装置６１の補償回路６４の回路規模の簡易化ならびに高精度な補償が可能となる。
【００３６】
波形歪の検出については、リモート装置６１の補償回路６４に歪演算部７６を具備し、信号帯域外に出力される高次歪成分を検出することや特定周波数成分の位相回転を検出することで実現できる。具体的には、歪演算部７６で入力信号に対して演算され、演算された歪を歪補償量として、加算部７７が信号に加算する。また、等化器７８は、各入力間の伝達関数に応じた波形予等化を行う。
【００３７】
リモート装置６１のデジタルアナログ変換以降の無線送信回路６７での歪について、図７に示すように、無線送信回路６７が出力したデジタルアナログ電気信号をアナログデジタル変換し、歪検出部６９のデジタル信号処理で歪を検出し、リモート装置６１の補償回路６４で予補償することで実現可能である。
【００３８】
本実施形態でのマスタ装置５１の周波数変換回路５３でのデジタル周波数変換は、デジタル無線変調信号に式（１）で示すように周波数ｆ０の搬送波を乗算することにより実現される（図８）。ｆ０には、マスタ装置側デジタルアナログ変換回路として機能するデジタルアナログ変換回路５５のサンプリング周波数ＦＳの１／２より低い周波数が用いられる。また、デジタル無線変調信号のサンプリング周波数は、デジタルアナログ変換回路５５のサンプリング周波数に変換される。
【数１】
2015115693.tif 000003
【００３９】
本実施形態のリモート装置６１のリモート装置側周波数変換回路として機能する周波数変換回路６５のデジタル周波数変換は、アナログデジタル変換された電気信号からデジタルフィルタでデジタル無線変調信号成分を抽出した後、式（２）で示される周波数ｆａの搬送波を乗算することで実現される。
【数２】
2015115693.tif 000004
【００４０】
ここで、周波数ｆａを次式で与えられる周波数に選ぶと、式（３）で示される。
【数３】
2015115693.tif 000005
【００４１】
デジタルアナログ変換されたアナログ電気信号のＮ番目の高調波成分を無線送信回路６７のバンドパスフィルタで抽出することにより無線周波数の信号となる（図９）。上式において、ｆｃは無線搬送波周波数、ＮはｆＣ／ＦＳを超えない最大の整数である。
【００４２】
高調波成分の電力はＮが大きくなると減衰していくため、より柔軟に無線搬送波周波数を設定する場合、ｆＣを中間周波数として、無線送信回路６７のミキサで周波数ｆ２の局部発振と混合し、さらに別の周波数に変換することも可能である（図１０）。
【００４３】
このように周波数変換を行う場合、無線周波数の搬送波周波数精度がサンプリング周波数精度に依存するため、マスタ装置５１とリモート装置６１間で周波数を正確に合わせておく必要がある。マスタ装置５１のマスタ装置側周波数変換回路として機能する周波数変換回路５３で基準クロックを重畳し、リモート装置６１のリモート装置側周波数変換回路として機能する周波数変換回路５３で基準クロックを抽出し、デジタルアナログ変換することにより基準クロックを転送することが可能である。
【００４４】
初期状態においてリモート装置６１のサンプリング周波数がマスタ装置５１に対してずれている場合においても、リモート装置６１側のサンプリングクロックでアナログデジタル変換とデジタルアナログ変換を行うため、周波数誤差の影響を受けずに基準クロックを再生することができる（図１１）。
【００４５】
このため、図１２に示すように、抽出された基準クロックにリモート装置の基準クロックを位相同期ループ（ＰＬＬ７０：Ｐｈａｓｅ−Ｌｏｃｋｅｄ  Ｌｏｏｐ）で同期させることにより、マスタ装置５１とリモート装置６１の間で周波数同期をとることができ、無線周波数を安定に出力することができる。
【００４６】
また、マスタ装置５１の基準クロックを安定なクロックとし、リモート装置６１のＰＬＬ７０のループフィルタを狭帯域なフィルタとすることにより、サンプリングクロックのジッタが低減され、高精度な無線信号を出力することが可能となる。
【００４７】
本実施形態の光送受信回路の帯域幅は、マスタ装置５１のデジタルアナログ変換回路出力５５での無線信号が透過できる帯域幅があれば十分である。例えば、ＬＴＥ−Ａのキャリアアグリゲーションで１００ＭＨｚの帯域が必要な場合、ｆＣを１００ＭＨｚ程度としても２００ＭＨｚ程度の帯域があれば十分であり、汎用の通信用半導体レーザを光源とした直接変調で送信可能である。
【００４８】
また、光受信回路６２についても数百ＭＨｚ帯域の廉価な部品の使用が可能である。デジタルアナログ変換およびアナログデジタル変換のサンプリング周波数については最大でも５００ＭＨｚ程度であるため、低価格で１４ビット以上の高精度な部品が使用可能である。
【００４９】
リモート装置６１の監視制御信号は、マスタ装置５１のマスタ装置側監視制御回路として機能する監視制御回路５７から周波数変換回路５３において無線変調信号に多重されて光伝送路５８を伝送され、リモート装置６１のリモート装置側周波数変換回路として機能する周波数変換回路６５で無線変調信号と分離されて監視制御回路６８に入力される。
【００５０】
本実施形態で転送する監視制御情報としては、リモート装置６１の設定・制御に関する情報、無線信号に関する情報、補償回路６４に関する情報等がある。データレートとしては１００ｋｂ／ｓ〜１Ｍｂ／ｓ程度あれば十分であり、適当な搬送波周波数で位相変調等を行い、マスタ装置５１からリモート装置６１まで転送する。低速度であるため、信号電力を抑えることができ、無線信号への干渉は十分低いレベルにまで低減することが可能である。
【産業上の利用可能性】
【００５１】
本発明は情報通信産業に適用することができる。
【符号の説明】
【００５２】
１１、３１：無線変復調部
１２、３２：無線変復調回路
１３、１５、３３、３５：光インタフェース
１４、３４：光ファイバ伝送路
１６、３６：無線送受信回路
２１、４１：無線送受信部
５１：マスタ装置
５２：デジタル無線変調回路
５３、６５：周波数変換回路
５４：予補償回路
５５、６６：デジタルアナログ変換回路
５６：光送信回路
５７、６８：監視制御回路
５８：光伝送路
６１：リモート装置
６２：光受信回路
６３：アナログデジタル変換回路
６４：補償回路
６７：無線送信回路
６９：歪検出部
７０：ＰＬＬ
７１、７６：歪演算部
７２、７７：加算部
７３、７８：等化器
【図１】
2015115693.tif 000006
【図２】
2015115693.tif 000007
【図３】
2015115693.tif 000008
【図４】
2015115693.tif 000009
【図５】
2015115693.tif 000010
【図６】
2015115693.tif 000011
【図７】
2015115693.tif 000012
【図８】
2015115693.tif 000013
【図９】
2015115693.tif 000014
【図１０】
2015115693.tif 000015
【図１１】
2015115693.tif 000016
【図１２】
2015115693.tif 000017